(57)【要約】【課題】中綿芯の交換時における芯体の本体軸からの着脱を、治具を用いることなく、ワンタッチで行うことができるようにする。【解決手段】開口させた前端近傍に係合孔１１を設けた本体軸３内に、前記係合孔１１に係止し得る係止部１８を設けた芯体先軸６に、先端芯１３と、インク吸蔵体としての中綿芯１４とを取り付けて形成した芯体１４を、前記係止部１８を係合孔１１に係止させて収容するとともに、この係止を解除することによって、芯体１４を本体軸３から取り出し得るようにした中綿式筆記具とする。【選択図】　　　　図３
2004114601.tif 000002
【特許請求の範囲】
【請求項１】
開口させた前端近傍に係合孔を設けた本体軸内に、前記係合孔に係止し得る係止部を設けた芯体先軸に、先端芯と、インク吸蔵体としての中綿芯とを取り付けて形成した芯体を、前記係止部を係合孔に係止させて収容するとともに、この係止を解除することによって、芯体を本体軸から取り出し得るようにしたことを特徴とする中綿式筆記具。
【請求項２】
本体軸の前端部に内嵌させた芯体先軸の後端と、本体軸の内周面に設けた段部との間に、コイルばねを介在させ、芯体先軸における係止部を、本体軸における係合孔に係止させているときは、前記コイルばねが圧縮状態となるようにし、前記係止を解除することによって、芯体先軸に先端芯と中綿芯とを取り付けて形成した芯体を、前記コイルばねの付勢作用により、本体軸の前端開口から突出させるようにしたことを特徴とする請求項１記載の中綿式筆記具。
【請求項３】
芯体先軸の後端に、コイルばねを一体的に取り付けたことを特徴とする請求項２記載の中綿式筆記具。
【請求項４】
係合孔を設けた本体軸の前端部に内嵌させた芯体先軸に、外向き係止爪を有する係止部を設けて、前記係合孔に係止させるとともに、本体軸の外側から、係合孔を通して、係止部を内側に押圧することにより、前記係止を解除し得るようにしたことを特徴とする請求項１〜３のいずれかに記載の中綿式筆記具。
【請求項５】
先端芯を、その前端を突出させた状態で芯体先軸内に圧入し、この先端芯の後端に着脱自在に中綿芯を取り付けて芯体を形成したことを特徴とする請求項１〜４のいずれかに記載の中綿式筆記具。
【発明の詳細な説明】
【０００１】
【発明の属する技術分野】
本発明は、インク吸蔵体としてのカートリッジ式中綿芯を取り付けた芯体を本体軸内に収容した中綿式筆記具に関する。
【０００２】
【従来の技術】
マーキングペンやサインペンなどの中綿式筆記具は、中綿芯を交換可能としたカートリッジ式のものと、交換不能の非カートリッジ式のものとがある。
前者は、後者よりも経済上の利点が認められるため、各種の形態のものが提案されている（たとえば、特許文献１、実用新案文献１，２参照）。
【０００３】
【特許文献１】
特開２０００−３４３８８０
【実用新案文献１】
実用新案登録第３０２３０７２号
【実用新案文献２】
実開平６−４２２５４
【０００４】
しかし、従来のカートリッジ式の中綿式筆記具は、中綿芯の交換が必ずしも容易ではない。
図６、図７は、従来の代表的なカートリッジ式の中綿式筆記具（０１）において、中綿芯（０２）を交換する際の手順を説明するための図である。
【０００５】
中綿芯（０２）を交換する際には、図６に示すように、まず、キャップ（０３）を取り外す。
次いで、治具（０４）を用いて、芯体（０５）を本体軸（０６）から取り外す。
芯体（０５）は、芯体先軸（０７）、先端芯（０８）、中綿芯（０９）の３者からなる。先端芯（０８）は、その前端を突出させて、芯体先軸（０７）の前端部に圧入されており、先端芯（０８）の後端には、中綿芯（０２）が着脱自在に外嵌されている。
【０００６】
芯体先軸（０７）の後端部には、雄ねじが螺設されており、本体軸（０６）の前端部内周面に螺設された雌ねじとの螺合により、芯体先軸（０７）が本体軸（０６）の前端に強固に取り付けられている。
芯体先軸（０７）のうち、本体軸（０６）から突出する部分における後端部分の外周面には、軸線方向の複数の係合条（０９）が設けられている。
【０００７】
治具（０４）は、筒体（０４ａ）と、この筒体（０４ａ）の外周面に直径方向の両側に延設された舌片（０４ｂ）（０４ｂ）とよりなり、筒体（０４ａ）の内周面には、芯体先軸（０７）における係合条（０９）に係止する係止条（０４ｃ）が設けられている。
【０００８】
治具（０４）における筒体（０４ａ）を、芯体先軸（０７）に外嵌させ、治具（０４）の係止条（０４ｃ）を、芯体先軸（０７）の係合条（０９）に係止させて、舌片（０４ｂ）（０４ｂ）を握持し、芯体先軸（０７）を本体軸（０６）に対して相対的に回転させることにより、図７に示すように、芯体（０５）を本体軸（０６）から離脱させる。
【０００９】
次いで、芯体先軸（０７）に圧入された先端芯（０８）の後端に外嵌されている中綿芯（０２）を後方に引張って取り外し、新しい中綿芯（０２）と交換した後に、再度、治具（０４）を用いて、芯体（０５）を本体軸（０６）に取り付ける。
【００１０】
このように、従来のカートリッジ式の中綿式筆記具（０１）は、中綿芯（０２）の交換の際に、治具（０４）を用いて行うという不便があり、その治具（０４）を紛失するおそれもあった。
【００１１】
【発明が解決しようとする課題】
本発明は、前記現状に鑑み、中綿芯の交換時における芯体の本体軸からの着脱を、治具を用いることなく行うことができるとともに、ワンタッチで着脱できるようにした中綿式筆記具を提供することを目的とする。
【００１２】
【課題を解決するための手段】
本発明によると、上記課題は、次にようにして解決される。
（１）　開口させた前端近傍に係合孔を設けた本体軸内に、前記係合孔に係止し得る係止部を設けた芯体先軸に、先端芯と、インク吸蔵体としての中綿芯とを取り付けて形成した芯体を、前記係止部を係合孔に係止させて収容するとともに、この係止を解除することによって、芯体を本体軸から取り出し得るようにしたことを特徴とする中綿式筆記具とする。
【００１３】
（２）　上記（１）項において、本体軸の前端部に内嵌させた芯体先軸の後端と、本体軸の内周面に設けた段部との間に、コイルばねを介在させ、芯体先軸における係止部を、本体軸における係合孔に係止させているときは、前記コイルばねが圧縮状態となるようにし、前記係止を解除することによって、芯体先軸に先端芯と中綿芯とを取り付けて形成した芯体を、前記コイルばねの付勢作用により、本体軸の前端開口から突出させるようにする。
【００１４】
（３）　上記（２）項において、芯体先軸の後端に、コイルばねを一体的に取り付ける。
【００１５】
（４）　上記（１）項〜（３）項のいずれかにおいて、係合孔を設けた本体軸の前端部に内嵌させた芯体先軸に、外向き係止爪を有する係止部を設けて、前記係合孔に係止させるとともに、本体軸の外側から、係合孔を通して、係止部を内側に押圧することにより、前記係止を解除し得るようにする。
【００１６】
（５）　上記（１）項〜（４）項のいずれかにおいて、先端芯を、その前端を突出させた状態で芯体先軸内に圧入し、この先端芯の後端に着脱自在に中綿芯を取り付けて芯体を形成する。
【００１７】
【発明の実施の形態】
図１は、本発明をマーキングペン（１）に適用した実施形態において、キャップ（２）を本体軸（３）から取り外した状態の斜視図である。
【００１８】
図２は、本体軸（３）から芯体（４）を取り出した状態の斜視図、図３は、芯体（４）を本体軸（３）内に収容した状態の中央縦断面図、図４は、図３におけるＩＶ−ＩＶ線縦断面図である。
【００１９】
本発明のマーキングペン（１）は、本体軸（３）と、この本体軸（３）内に収容される芯体（４）と、本体軸（３）の前端に被せるキャップ（２）とよりなる。
図３に示すように、本体軸（３）は、筒部（５）の前端に本体先軸（６）、後端に尾栓（７）がそれぞれ取り付けられて形成されている。
【００２０】
本体先軸（６）は、筒体（８）の前後方向のほぼ中央外側に鍔（９）が設けられ、この鍔（９）より後方の筒体部分（８ａ）が筒部（５）の前端内部に圧入されている。
鍔（９）より前方の筒体部分（８ｂ）における前端（１０）近傍には、係合孔（１１）が穿設されている。
【００２１】
尾栓（７）は、前端（７ａ）が開口し、後端（７ｂ）が閉塞され、前後方向の中央よりやや後方の外側に鍔（７ｃ）が設けられ、この鍔（７ｃ）より前方部分が、筒部（５）の後端内部に圧入されている。
【００２２】
芯体（４）は、芯体先軸（１２）と先端芯（１３）と中綿芯（１４）とより形成されている。先端芯（１３）は、その前端が突出する状態で、芯体先軸（１２）内に圧入され、この先端芯（１３）の後端に、中綿芯（１４）が着脱自在に取り付けられている。中綿芯（１４）は、インク吸蔵体としての機能を有し、この中に吸蔵されているインクは、先端芯（１３）に送られ、先端芯（１３）の前端（１３ａ）が紙面等に押圧されることにより、転写される。
【００２３】
図５は、先端芯（１３）と中綿芯（１４）を、芯体先軸（１２）から取り外した状態を一部破断して示す斜視図である。
図３、図５に示すように、芯体先軸（１２）は、筒体（１５）の外周面が、前後方向の中央よりやや前方において拡径されて段部（１６）が形成されるとともに、前端（１５ａ）に向けて漸次縮径されている。
【００２４】
前記段部（１６）より後方部分の筒体（１５）の周面が一部切り欠かれ、この切り欠き部（１７）内に、外向き係止爪（１８ａ）を有し、芯体先軸（１２）の軸線に対して直角方向に弾性変形可能な係止部（１８）が設けられている。
【００２５】
芯体先軸（１２）の後端（１５ｂ）には、コイルばね（１９）が一体的に取り付けられている。
芯体先軸（１２）の内周面には、軸線方向の３本の突条（２０）が設けられている。
先端芯（１３）が、その前端（１３ａ）を突出させた状態で、芯体先軸（１２）における３本の突条（２０）間に圧入されて、芯体先軸（１２）に固定されている。
【００２６】
先端芯（１３）の後端（１３ｂ）は、先細となっており、この後端（１３ｂ）に中綿芯（１４）の前端（１４ａ）が、着脱自在に外嵌されている。
図２、図３に示すように、芯体先軸（１２）、先端芯（１３）、中綿芯（１４）の３者より形成される芯体（４）は、本体軸（３）内に、その前端（１０）の開口（１０ａ）から挿入されて、芯体先軸（１２）における外向き係止爪（１８ａ）を有する係止部（１８）が、本体軸（３）における本体先軸（６）の係合孔（１１）に係止されている。
【００２７】
本体先軸（６）の内周面は、後半部分が縮径されて段部（８ｄ）が形成されている。この段部（８ｄ）と、芯体先軸（１２）の後端（１５ｂ）間に介在するように設けられたコイルばね（１９）は、圧縮状態となり、このコイルばね（１９）の付勢により、芯体先軸（１２）における外向き係止爪（１８ａ）を有する係止部（１８）は、本体先軸（６）における係合孔（１１）の縁端面（１１ａ）に押し付けられて、芯体（４）は、本体軸（３）内に安定よく収容されている。
【００２８】
尾栓（７）の内周面（７ｄ）には、前後方向の突条（７ｅ）が設けられ、この突条（７ｅ）の前端（７ｆ）に、中綿芯（１４）の後端（１４ｂ）が当接されて、先端芯（１３）の後端（１３ｂ）に、取り付けた中綿芯（１４）が、先端芯（１３）から外れることを防止するようになっている。
【００２９】
中綿芯（１４）の交換のために、芯体（４）を本体軸（３）から取り出す際には、本体軸（３）の外側から、係合孔（１１）を通して、外向き係止爪（１８ａ）を有する係止部（１８）を内側に押圧することにより、係止部（１８）と係合孔（１１）の係止は、容易に解除され、同時に、圧縮されたコイルばね（１９）の付勢により、芯体（４）における芯体先軸（１２）の後端（１５ｂ）が前方に押され、芯体（４）における芯体先軸（１２）のほぼ全体が本体軸（３）の前端開口（１０ａ）から飛び出すようにして突出する。
突出した芯体先軸（１２）を掴んで、芯体（４）を本体軸（３）から容易に取り出すことができる。
【００３０】
次いで、芯体（４）における中綿芯（１４）を交換した後に、再び芯体（４）を本体軸（３）の前端開口（１０ａ）から挿入することにより、芯体（４）における芯体先軸（１２）の係止部（１８）は、軸線に対して直角方向の外向きの弾性作用により、本体軸（３）の係合孔（１１）と自動的に係止して、芯体（４）が本体軸（３）内に安定よく収容される。
【００３１】
【発明の効果】
本発明によれば、次の効果が奏せられる。
（１）　請求項１記載の発明によれば、中綿芯の交換時における芯体の本体軸からの着脱を、治具を用いることなく行うことができるとともに、芯体を本体軸から取り出す際には、本体軸の外側から、係止孔を通して、係止部を内側に押し込むだけのワンタッチ操作で取り出すことができ、さらに芯体を本体軸内に収容する際にも、芯体を本体軸の前端開口から挿入するだけのワンタッチ操作で収容することができる。
【００３２】
（２）　請求項２記載の発明によれば、上記（１）項に記載した効果を、良好に得ることができる。
【００３３】
（３）　請求項３記載の発明によれば、芯体における係止部と、本体軸における係合孔との係止を解除して芯体を本体軸から取り出す際に、コイルばねが芯体から離脱して紛失することを、有効に防止することができる。
【００３４】
（４）　請求項４記載の発明によれば、芯体における係止部と、本体軸における係合孔との係止の解除を、本体軸の外側から極めて容易に行うことができる。
【００３５】
（５）　請求項５記載の発明によれば、芯体先軸における係止部を、本体軸における係合孔に係止させ、またはその係止を解除するだけで、芯体の本体軸への着脱を容易に行うことができるとともに、本体軸から取り出した芯体における中綿芯の交換も容易である。
【図面の簡単な説明】
【図１】本発明をマーキングペンに適用した実施形態において、キャップを本体軸から取り外した状態の斜視図である。
【図２】図１に示した実施形態において、本体軸から芯体を取り出した状態の斜視図である。
【図３】同じく、図１に示した実施形態において、芯体を本体軸内に収容した状態の中央縦断面図である。
【図４】図３におけるＩＶ−ＩＶ線縦断面図である。
【図５】先端芯と中綿芯を、芯体先軸から取り外した状態を一部破断して示す斜視図である。
【図６】従来のカートリッジ式の中綿式筆記具において、中綿芯を交換する手順を説明するための図である。
【図７】同じく、従来のカートリッジ式の中綿式筆記具において、中綿芯を交換する手順を説明するための図である。
【符号の説明】
（１）マーキングペン
（２）キャップ
（３）本体軸
（４）芯体
（５）筒部
（６）本体先軸
（７）尾栓
（７ａ）前端
（７ｂ）後端
（７ｃ）鍔
（７ｄ）内周面
（７ｅ）突条
（７ｆ）前端
（８）筒体
（８ａ）後方の筒体部分
（８ｂ）前方の筒体部分
（８ｃ）鍔
（８ｄ）段部
（９）鍔
（１０）前端
（１０ａ）開口
（１１）係合孔
（１１ａ）縁端面
（１２）芯体先軸
（１３）先端芯
（１３ａ）前端
（１３ｂ）後端
（１４）中綿芯
（１４ａ）前端
（１４ｂ）後端
（１５）筒体
（１５ａ）前端
（１５ｂ）後端
（１６）段部
（１７）切り欠き部
（１８）係止部
（１８ａ）外向き係止爪
（１９）コイルばね
（２０）突条
（０１）中綿式筆記具
（０２）中綿芯
（０３）キャップ
（０４）治具
（０４ａ）筒体
（０４ｂ）舌片
（０４ｃ）係止条
（０５）芯体
（０６）本体軸
（０７）芯体先軸
（０８）先端芯
（０９）係合条
【図１】
2004114601.tif 000003
【図２】
2004114601.tif 000004
【図３】
2004114601.tif 000005
【図４】
2004114601.tif 000006
【図５】
2004114601.tif 000007
【図６】
2004114601.tif 000008
【図７】
2004114601.tif 000009